(57)【要約】【課題】再生専用領域のピット及び書き換え可能領域の記録マークを微小化することなく各領域の記録容量を増大させることのできる光記録媒体の再生方法及び記録再生装置並びに光記録媒体を提供する。【解決手段】ピットが形成された基板上に記録層を積層した光ディスクに再生光を照射すると、図６（ａ）に示すようなピット情報及び記録層の情報を含んだ再生信号が得られる。この再生信号をメモリに保存する。次いで、光ディスクに光を照射して記録層の情報を消去する。記録層の情報を消去した後、再度、光記録媒体に再生光を照射して、その反射光を検出すると、図６（ｂ）に示すようなピット情報に相当する再生信号が得られる。そして、図６（ａ）の再生信号と図６（ｂ）の再生信号との差を求めると図６（ｃ）に示すような信号が得られ、記録層の情報に相当する再生信号が得られる。【選択図】  図６
2004253051.tif 000002
【特許請求の範囲】
【請求項１】
基板上の少なくとも一部の領域に形成された情報パターンと、該情報パターンが形成されている領域の少なくとも一部を含む前記基板上の領域に堆積された、反射率の変化により情報が記録再生される記録層とを備え、該記録層に情報が記録されている光記録媒体の再生方法であって、
前記光記録媒体に光を照射して前記光記録媒体からの第１反射光信号を検出するステップと、
前記光記録媒体に光を照射して前記記録層の情報を消去するステップと、
前記記録層の情報が消去された光記録媒体に光を照射して該光記録媒体からの第２反射光信号を検出するステップと、
第２反射光信号と第１反射光信号との差を求めて前記記録層の情報に相当する信号を生成するステップとを含む光記録媒体の再生方法。
【請求項２】
さらに、第１反射光信号を検出するステップの後に、第１反射光信号を保存するステップを含む請求項１に記載の光記録媒体の再生方法。
【請求項３】
前記記録層が有機色素材料で形成されていることを特徴とする請求項１また２に記載の光記録媒体の再生方法。
【請求項４】
前記記録層が相変化材料で形成されていることを特徴とする請求項１また２に記載の光記録媒体の再生方法。
【請求項５】
前記情報パターンがピットで形成されていることを特徴とする請求項１〜４のいずれか一項に記載の光記録媒体の再生方法。
【請求項６】
基板上の少なくとも一部の領域に形成された情報パターンと、該情報パターンが形成されている領域の少なくとも一部を含む前記基板上の領域に堆積された、反射率の変化により情報が記録再生される記録層とを備えた光記録媒体の記録再生装置であって、
前記光記録媒体に光を照射し且つ反射光を検出する光ヘッド部と、
前記光ヘッド部で検出された信号を処理して情報パターンの情報及び記録層の情報を個別に再生する再生部とを備え、
前記再生部が、前記光ヘッド部で検出された情報パターンの情報及び記録層の情報を含んだ第１反射光信号を保存するメモリ部と、前記メモリ部に保存された第１反射光信号と前記光ヘッド部で検出された情報パターンの情報のみを含む第２反射光信号とに基づいて、前記記録層の情報に対応する信号を生成する処理部とを備えることを特徴とする光記録媒体の記録再生装置。
【請求項７】
前記処理部が第１反射光信号と第２反射光信号との差分演算機能を有することを特徴とする請求項６に記載の光記録媒体の記録再生装置。
【請求項８】
請求項１または２に記載の光記録媒体の再生方法で再生可能な光記録媒体であって、前記記録層が１回だけ記録可能であることを特徴とする光記録媒体。
【請求項９】
請求項１または２に記載の光記録媒体の再生方法で再生可能な光記録媒体であって、前記記録層が２回以上書き換え可能であることを特徴とする光記録媒体。
【請求項１０】
前記情報パターンがピットで形成されていることを特徴とする請求項８または９に記載の光記録媒体。
【請求項１１】
請求項６または７に記載の光記録媒体の記録再生装置で記録再生可能な光記録媒体であって、前記記録層が１回だけ記録可能であることを特徴とする光記録媒体。
【請求項１２】
請求項６または７に記載の光記録媒体の記録再生装置で記録再生可能な光記録媒体であって、前記記録層が２回以上書き換え可能であることを特徴とする光記録媒体。
【請求項１３】
前記情報パターンがピットで形成されていることを特徴とする請求項１１または１２に記載の光記録媒体。
【請求項１４】
光記録媒体であって、
基板と、
前記基板上の少なくとも一部の領域に形成された情報パターンと、
前記情報パターンが形成されている領域の少なくとも一部を含む前記基板上の領域に堆積された、反射率の変化により情報が記録再生される記録層とを備え、
前記記録層に予め情報が記録されていることを特徴とする光記録媒体。
【請求項１５】
前記記録層が書き換え不可能であることを特徴とする請求項１４に記載の光記録媒体。
【請求項１６】
前記記録層が書き換え可能であることを特徴とする請求項１４に記載の光記録媒体。
【請求項１７】
前記情報パターンがピットで形成されていることを特徴とする請求項１４〜１６のいずれか一項に記載の光記録媒体。
【発明の詳細な説明】
【０００１】
【発明の属する技術分野】
本発明は、光記録媒体の再生方法及び記録再生装置に関し、より詳細には、基板上に形成されたピット領域の上に記録層を堆積させた光記録媒体のピット情報及び記録層の情報を個別に再生する方法及び記録再生装置に関する。
【０００２】
【従来の技術】
音声、動画像、あるいはグラフィックなどの情報データを記録再生できる媒体の一つとして光ディスクがある。光ディスクには、例えば、ＣＤ−ＲＯＭのように情報の再生だけが可能な再生専用型光ディスク（以下では、ＲＯＭ型光ディスクという）、ＣＤ−Ｒのように１回だけ情報の書き込みが可能な追記型光ディスク及びＣＤ−ＲＷのように情報を何度も書き換えが可能な書換型光ディスク（以下では、ＲＡＭ型光ディスクという）がある。
【０００３】
ＲＯＭ型光ディスクは、ユーザー情報に対応したピットが基板上の全領域にわたって予め形成され、そのピットが形成されている側の基板上に反射膜が形成された構造になっている。ＲＯＭ型光ディスクでは、ピットの有無による反射光量の変化に基づいて情報が再生される。従来のＲＯＭ型光ディスクには、基板にピットとして記録されたユーザー情報の無制限なインストールを防止するために、基板上に形成されている情報の管理データ領域にのみ相変化材料層を積層したＲＯＭ型光ディスクがある（例えば、特許文献１参照）。このＲＯＭ型光ディスクに再生光を照射すると、管理データ領域上の相変化材料層が溶融して、相変化材料層の反射率が著しく低下する。再生光の照射回数、即ち、再生回数が増加するに従って管理データ領域に形成されたピット情報が読み取り難くなり、ある特定の再生回数で管理データ領域のピット情報が再生不可能になる。これにより、管理データ領域のピット情報を介してユーザー情報のインストールすることが不可能となり、光ディスクに記録されたユーザー情報のインストール回数を制限することができる。
【０００４】
一方、追記型光ディスクやＲＡＭ型光ディスクは、基板上に情報を記録するための記録層を備えており、記録層に形成された記録マークの有無による反射率の変化に基づいて情報が再生される。一般に、追記型光ディスクでは記録層の材料として有機色素材料が用いられ、ＲＡＭ型光ディスクでは相変化材料が用いられる。また、従来の追記型及びＲＡＭ型光ディスクでは、アドレス情報などがピットで形成された再生専用領域とユーザー情報の書き込み及び書き換え可能な領域がディスク基板上で別々の場所に配置されている（例えば、特許文献２参照）。
【０００５】
また、このような３種類の光ディスクのいずれにも対応する記録再生装置が商品化されている。この記録再生装置では、追記型及びＲＡＭ型光ディスクへのユーザ情報の記録再生が可能であるとともに、ＲＯＭ型光ディスクのユーザー情報を再生することができる。
【０００６】
【特許文献１】
特開平９−２３１６１２号公報（第２−５頁、第１図）
【特許文献２】
特開２０００−２９８８８２号公報（第４−５頁、第１−３図）
【０００７】
【発明が解決しようとする課題】
従来の追記型及びＲＡＭ型光ディスクで、情報の高密度記録化を図るためには、再生専用領域のピットと書き込み及び書き換え可能な領域（以下では、記録可能領域という）の記録マークを微小化する必要がある。しかし、再生専用領域のピット及び記録可能領域の記録マークの微小化が達成されても、光スポットの回折限界により再生光の再生分解能より小さい記録マークを再生することできないという問題があった。また、これらの光ディスクでは、情報の再生専用領域と情報の記録可能領域が光ディスクの基板上で互いに異なる場所に配置されているので、各領域における情報の記録容量にも限界があるという問題があった。
【０００８】
本発明の目的は、上記従来技術の問題を解決するものであって、再生専用領域のピット及び記録可能領域の記録マークを微小化することなく、各領域の記録容量を増大させることができる光記録媒体の再生方法及びその記録再生装置並びに光記録媒体を提供することである。
【０００９】
【課題を解決するための手段】
本発明の第１の態様に従えば、基板上の少なくとも一部の領域に形成された情報パターンと、該情報パターンが形成されている領域の少なくとも一部を含む前記基板上の領域に堆積された、反射率の変化により情報が記録再生される記録層とを備え、該記録層に情報が記録されている光記録媒体の再生方法であって、前記光記録媒体に光を照射して前記光記録媒体からの第１反射光信号を検出するステップと、前記光記録媒体に光を照射して前記記録層の情報を消去するステップと、前記記録層の情報が消去された光記録媒体に光を照射して該光記録媒体からの第２反射光信号を検出するステップと、第２反射光信号と第１反射光信号との差を求めて前記記録層の情報に相当する信号を生成するステップとを含む光記録媒体の再生方法が提供される。
【００１０】
本発明の光記録媒体の再生方法では、まず、基板上の少なくとも一部の領域に形成された情報パターンと、その情報パターンが形成されている領域の少なくとも一部を含む基板上の領域に堆積された、反射率の変化により情報が記録再生される記録層とを備え、且つ、記録層に情報が記録されている光記録媒体を用意する。ここで、情報パターンはピットで形成されていることが好ましい。反射率の変化により情報が記録再生される記録層は、例えば有機色素材料あるいは相変化材料で形成され得る。また、ユーザー情報は記録層にのみ記録されていても良い。
【００１１】
上記用意された光記録媒体の表面の領域に再生光を照射して、光記録媒体からの反射光の信号を検出すると、基板上に形成された情報パターンの情報と記録層に記録された情報を含んだ信号（以下では、第１反射光信号という）が得られる。
【００１２】
次に、光記録媒体に光（消去光）を照射して記録層の情報を消去する。この際、記録層が相変化材料のように光照射で書き換え可能な材料で形成されている場合には、照射される消去光の強度を調整して光記録媒体に照射することにより媒体内の記録層を全て記録状態または未記録状態（初期化状態）にする。これにより、記録層からの反射光量が一定になり、記録層の情報が消去された状態になる。また、記録層が有機色素材料のように光照射で書き込みのみ可能な材料で形成されている場合には、消去光を光記録媒体に照射して媒体内の記録層を全て記録状態にする。これにより、記録層からの反射光量が一定になり、記録層の情報が消去された状態になる。
【００１３】
記録層の情報を消去した後、再度、光記録媒体に再生光を照射して光記録媒体からの反射光の信号（以下では、第２反射光信号という）を検出する。この際、媒体内の記録層の情報はすでに消去されているので、検出される第２反射光信号は、基板上に形成された情報パターンの情報のみを含んだ信号となる。次いで、第２反射光信号と第１反射光信号との差を求めると、媒体内の記録層に記録された情報に相当する信号が得られる。それゆえ、本発明の光記録媒体の再生方法では、情報パターンの情報と記録層の情報を含んだ再生信号から情報パターンの情報と記録層の情報を個別に再生することができる。
【００１４】
本発明の光記録媒体の再生方法では、さらに、第１反射光信号を検出するステップの後に、第１反射光信号を保存するステップを含んでも良い。また、情報が消去された記録層に、再度、消去された情報と同一の情報を記録するステップを含んでも良い。
【００１５】
本発明の第２に態様に従えば、基板上の少なくとも一部の領域に形成された情報パターンと、該情報パターンが形成されている領域の少なくとも一部を含む前記基板上の領域に堆積された、反射率の変化により情報が記録再生される記録層とを備えた光記録媒体の記録再生装置であって、前記光記録媒体に光を照射し且つ反射光を検出する光ヘッド部と、前記光ヘッド部で検出された信号を処理して情報パターンの情報及び記録層の情報を個別に再生する再生部とを備え、前記再生部が、前記光ヘッド部で検出された情報パターンの情報及び記録層の情報を含んだ第１反射光信号を保存するメモリ部と、前記メモリ部に保存された第１反射光信号と前記光ヘッド部で検出された情報パターンの情報のみを含む第２反射光信号とに基づいて、前記記録層の情報に対応する信号を生成する処理部とを備えることを特徴とする光記録媒体の記録再生装置が提供される。
【００１６】
本発明の光記録媒体の記録再生装置は、光記録媒体に光を照射し且つ反射光を検出する光ヘッド部と、光ヘッド部で検出された信号を処理して基板上に形成された情報パターンの情報及び記録層の情報を再生する再生部とで構成されている。再生部に含まれる処理部は、同じく再生部のメモリ部に保存した情報パターンの情報及び記録層の情報を含んだ第１反射光信号と、情報パターンの情報のみを含んだ第２反射光信号とを、例えば演算して記録層の情報に相当する信号だけを求めることができる。即ち、再生部は、基板上に形成された情報パターンの情報と記録層に記録された情報を独立して求めることができる。それゆえ、本発明の装置は、本発明の再生方法及び後述する本発明の光記録媒体に好適である。
【００１７】
本発明の光記録媒体の記録再生装置では、上記処理部が第１反射光信号と第２反射光信号との差を求める機能を備えていることが好ましい。
【００１８】
本発明の第３の態様に従えば、光記録媒体であって、基板と、前記基板上の少なくとも一部の領域に形成された情報パターンと、前記情報パターンが形成されている領域の少なくとも一部を含む前記基板上の領域に堆積された、反射率の変化により情報が記録再生される記録層とを備え、前記記録層に予め情報が記録されていることを特徴とする光記録媒体が提供される。
【００１９】
本発明の光記録媒体では、基板上の少なくとも一部の領域に情報パターンが形成されており、その情報パターンが形成されている領域の少なくとも一部を含む基板の領域上に記録層が堆積されている。そして、その記録層には予め情報が記録されている。本発明の光記録媒体では、記録層は反射率の変化により情報が記録再生される材料で形成されており、その材料として、例えば、有機色素材料のような書き換え不可能な材料を用いても良いし、相変化材料のような書き換え可能な材料を用いても良い。また、ユーザー情報が記録層にのみ記録されていても良い。また、本発明の光記録媒体では、基板上に形成される情報パターンはピットで形成されていることが好ましい。
【００２０】
【発明の実施の形態】
以下に、本発明の光記録媒体の再生方法及びその記録再生装置並びに光記録媒体について実施例を用いて具体的に説明するが、本発明はこれに限定されない。
【００２１】
【実施例１】
実施例１で作製した光ディスクの概略断面図を図１に示した。この例で作製した光ディスク１０は、図１に示すように、基板１１上に記録層１２、反射層１３及び保護層１４を順次積層させた構造を有する。
【００２２】
この例で作製した光ディスク１０の作製方法は、まず、ピットパターンが表面全体にわたって形成されている原盤（不図示）を用意した。なお、原盤上に形成されたピットパターンは、フォトレジストが塗布された原盤を露光ヘッドを有する原盤露光装置（不図示）に装着した後、図４に示した原盤露光信号を露光ヘッドに供給して、その原盤露光信号に従って原盤表面に光を照射してパターニングすることにより形成した。次いで、原盤上に形成されたピットパターンを、Ｎｉ製のスタンパ（不図示）に転写し、かかるスタンパ表面に形成された凹凸パターンを再転写して得られたスタンパ（不図示）を用いて射出成形することにより、直径６０ｍｍ、厚さ１．２ｍｍのポリカーボネート製ディスク状基板１１を成形した。これにより、基板１１の一面上の全領域にわたってトラックピッチ１．６μｍ、ピット幅０．５μｍ及びピット深さ５０ｎｍの所定のピットパターンが得られた。なお、この例で用いたポリカーボネート製の基板１１の屈折率は１．５であった。
【００２３】
次に、２，２，３，３−テトラフロロプロパノールに２−メトキシエタノール５重量％を加えた混合溶媒にシアニン系色素１．５重量％（混合溶液中の重量％）を溶解させて色素溶液を調整した。次いで、この色素溶液を基板１１上にスピンコート法により塗布して記録層１２を形成した。ここで、記録層１２の膜厚は約１３０ｎｍとした。
【００２４】
記録層１２を形成した後、記録層１２上に、ＡｌＴｉをスパッタ法により約８０ｎｍ堆積させて反射層１３を形成した。最後に、反射層１３上に、紫外線硬化樹脂を約５μｍ塗布して、その紫外線硬化樹脂に紫外線を照射して硬化させることにより保護層１４を形成した。こうして図１に示した積層構造を有する光ディスク１０を作製した。
【００２５】
次に、この例で作製した光ディスク１０の記録再生に使用する記録再生装置について説明する。図２に、この例で作製した光ディスク１０の記録再生に最適な記録再生装置２０の概略構成を示した。記録再生装置２０は、図２に示すように、光照射系２１と、光照射系２１を制御する制御回路系２２とで構成した。図２中の各回路ブロック間をつないでいる矢印は電気信号の流れを表している。
【００２６】
光照射系２１は、情報の記録再生時に光ディスク１０にレーザー光を照射するとともに、光ディスク１０からの反射光を検出する機能を備えた光ヘッド部２１１と、光ディスク１０を回転させるためのスピンドルモータ２１２とで構成されている。
【００２７】
光ヘッド部２１１は、波長７８０ｎｍのレーザー光源と、開口数ＮＡ＝０．５５の対物レンズと、光スポットの焦点を光ディスク１０上に合わせるためのフォーカシング機能及び光スポットを光ディスク１０上のトラックに追従させるためのトラッキング機能を有するアクチュエータと、反射光を検出するためのフォトディテクタとを内蔵している（いずれも不図示）。光ヘッド部２１１内のアクチュエータは、フォトディテクタで検出された反射光のプッシュプル信号を後述する制御回路系２２内のサーボ回路２２１でフィードバックすることによって得られる信号により制御される。また、光ヘッド部２１１内のフォトディテクタで検出された光ディスク１０からの反射光の信号は、図２に示すように、後述する制御回路系２２内の再生信号処理部２２５に入力される。
【００２８】
スピンドルモータ２１２は、図２に示すように、後述する制御回路系２２内のコントローラ２３０により制御されて光ディスク１０を回転させる。この例で作製した光ディスク１０は、基板側から光入射して情報の記録再生を行うので、光ディスク１０の基板側の面が光ヘッド部２１１と対向するように、スピンドルモータ２１２に装着される。
【００２９】
制御回路系２２は、サーボ回路２２１と、レーザーコントローラ２２２と、エンコーダ２２３と、記録信号生成回路２２４と、再生信号処理部２２５と、メモリ装置２２６と、演算装置２２７と、エラー訂正デコーダ２２８と、データブロック２２９と、コントローラ２３０とで構成した。回路制御系２２の各回路ブロックは、ホストコンピュータ２３によりコントローラ２３０を介して制御される。
【００３０】
図２に示した記録再生装置２０を用いて、光ディスク１０に情報を記録する場合、情報はホストコンピュータ２３からコントローラ２３０を介してエンコーダ２２３に入力されて記録データに変換される。この記録データは記録信号発生回路２２４に入力されて記録信号（以下では、光照射信号という）に変換される。この光照射信号をレーザーコントローラ２２２に入力することにより、この光照射信号に従って光強度変調された光パルスが光ヘッド部２１１から光ディスク１０に照射されて情報が記録される。
【００３１】
一方、図２に示した記録再生装置２０を用いて、光ディスク１０の情報を再生する場合、光ヘッド部２１１から再生光を光ディスク１０に照射して、光ディスク１０からの反射光を光ヘッド部２１１内のフォトディテクタで検出する。フォトディテクタで検出した反射光の信号は再生信号処理部２２５に入力される。再生信号処理部２２５では、入力された反射光の信号をＩ−Ｖ変換回路（不図示）により電圧の信号に変換して、その後、ＡＤ変換器（不図示）により反射光の電圧信号をアナログ信号からデジタル信号に変換して出力する。この際、ＡＤ変換するタイミングは再生信号処理部２２５内のＰＬＬ回路（不図示）により生成されたクロック信号により決定される。
【００３２】
再生信号処理部２２５から出力される反射光のデジタル信号は、再生過程の中で、光ヘッド部２１１で検出された反射光の信号がピット情報及び記録層の情報を含んだ信号である場合には、メモリ装置２２６に送られて保存される。一方、光ヘッド部２１１で検出された反射光の信号がピット情報のみを含む場合には、再生信号処理部２２５から出力される反射光のデジタル信号は演算装置２２７に入力される。
【００３３】
演算装置２２７では、再生信号処理部２２５から直接入力されるピット情報のみを含んだ反射光のデジタル信号と、メモリ装置２２６から入力されるピット情報及び記録層の情報を含んだ反射光のデジタル信号との差を計算して記録層の情報に相当する反射光のデジタル信号を生成する。そして、演算装置２２７からピット情報に相当するデジタル信号と記録層の情報に相当するデジタル信号を個別に出力する。
【００３４】
演算装置２２７から個別に出力されたピット情報に相当するデジタル信号と記録層の情報に相当するデジタル信号は、ともにエラー訂正デコーダ２２８に入力される。エラー訂正デコーダ２２８では、個別に入力されたピット情報に相当するデジタル信号と記録層の情報に相当するデジタル信号に対してそれぞれエラー訂正を行い、エラー訂正デコーダ２２８内のデコーダ（不図示）でユーザー情報に変換する。
【００３５】
次に、実際に、図２に示した本発明の記録再生装置２０に、この例で作製した光ディスク１０を装着して情報の記録再生を行った。まず、光ディスク１０への記録は、図５に示した光照射信号に従って変調されたレーザー光（記録光）を光ディスク１０に照射して行った。記録光の記録パワーは９ｍＷとした。ただし、この例では、図５に示した記録層の光照射信号の周期を、図４に示したピット形成のために用いた原盤露光信号の周期より短くした。
【００３６】
情報を記録した際、光ディスク１０の基板上に形成されたピットと記録層に記録された記録マークとの配置パターンには、図３に示すように、４つの組み合わせが考えられる。ただし、この例では、図３に示すように、光入射側（基板３１側）から見て凹形状になる部分（図３中の３５）をピットとした。図３（ａ）は、ピット３５上の記録層３２に記録マーク３６が存在する場合であり、図３（ｂ）は、ピット３５上の記録層３２に記録マーク３６が存在しない場合である。図３（ｃ）は、ピット３５が存在しない基板領域上の記録層３２に記録マーク３６が存在する場合であり、図３（ｄ）は、ピット３５が存在しない基板領域上の記録層３２に記録マーク３６が存在しない場合の光ディスクの概略断面図である。ピット３５及び記録マーク３６の配置パターンが異なると、各配置パターンで得られる反射光の反射光量もそれぞれ異なる。図３（ａ）に示すようなピット３５上の記録層３２に記録マーク３６が存在する場合が最も反射光量が小さくなり、図３（ｄ）に示すようなピット３５及び記録マーク３６が共に存在しない場合が最も反射光量が大きくなる。
【００３７】
次に、記録層に情報が記録された光ディスク１０にレーザー光（再生光）を照射して情報の再生を行った。再生光の再生パワーは１ｍＷとした。この際、検出された光ディスク１０から検出された反射光の信号を図６（ａ）に示した。検出された反射光の信号にはピット情報と記録層に記録された情報が含まれており、このような信号では、図３に示したピットと記録層の記録マークの配置パターンにより反射光量の異なった反射光の信号が混在するので、図６（ａ）に示すように、複雑な信号波形になる。次いで、図６（ａ）に示したピット情報及び記録層に記録された情報を含んだ反射光の信号データを、図２に示した記録再生装置２０内のメモリ装置２２６に保存した。
【００３８】
次に、レーザーパワー９ｍＷのレーザー光（消去光）を光ディスク１０に照射して、記録層の情報を消去した。この例では、記録層に有機色素材料を用いているので、消去光を照射することにより記録層は全て記録状態になり、これにより記録層からの反射光量が一定になって、記録層の情報が消去された状態になる。記録層の情報を消去した後、再生パワー１ｍＷのレーザー光を光ディスク１０に照射して再生を行うと、図６（ｂ）に示すような反射光の信号が得られた。この際、記録層の情報はすでに消去されているので、図６（ｂ）に示した反射光の信号は、図４に示したピットパターンを形成するために用いた原盤露光信号と同じ周期の信号となり、ピット情報に相当する信号が得られた。
【００３９】
最後に、図２に示した記録再生装置２０内のメモリ装置２２６に保存された図６（ａ）のピット情報及び記録層の情報を含んだ反射光の信号と図６（ｂ）のピット情報に相当する反射光の信号とを記録再生装置２０内の演算装置２２７に入力して差分処理を行うと、図６（ｃ）に示すような信号が得られた。図６（ｃ）に示した反射光の信号と、図５に示した記録層に情報を記録する際に用いた光照射信号を比較すると分かるように、図６（ｃ）に示した反射光の信号は、図５に示した記録層に情報を記録する際に用いた光照射信号と同じ周期の信号となり、記録層に記録された情報に相当する信号が得られた。以上で説明したように、本発明の記録再生方法及び装置を用いると、ピット情報及び記録層の情報を含んだ再生信号から、各情報を個別に再生可能することができる。
【００４０】
【実施例２】
図７に、実施例２で作製した光ディスクを示した。図７（ａ）に示すように、この例で作製した光ディスク７０では、基板７１上の全面にわたり記録層７２が積層されている。ただし、この例で作製した光ディスク７０は実施例１と同様の製造方法で作製した。記録層７２には実施例１と同様に有機色素材料を用いた。なお、図７ではここでの説明を簡略化するために保護層及び反射層は省略した。
【００４１】
この例で作製した光ディスク７０では、ユーザー情報（伝達・保持しようとする情報）は記録層７２に記録マークとして記録され、記録層７２に記録されたユーザー情報を再生するために必要な鍵情報は基板７１上の全面にわたってピット７３として形成されている。すなわち、この例で作製した光ディスク７０では、基板７１上に形成されたピット情報と記録層７２に記録されている情報は光ディスク７０の全面にわたり重なった構造を有する。ただし、この例では、図７（ｂ）に示すように、光入射側（基板７１側）から見て凸形状になる部分（図７（ｂ）中の７３）をピットとした。
【００４２】
この例で作製した光ディスク７０のユーザー情報及び鍵情報の記録方法について説明する。ユーザー情報の再生に必要な鍵情報は基板７１の製造過程で作製した。その方法は、実施例１と同様に、鍵情報に対応した凹凸パターンを有するスタンパ（不図示）を用いて射出成型することにより、基板７１上の全面にわたって鍵情報をピット７３として形成した。ユーザー情報は、この例で作製した光ディスク７０を図２に示した記録再生装置２０に装着して、光ディスク７０の全面にわたりユーザー情報に従って変調されたレーザー光（記録光）を断続的に照射することにより記録層７２に記録マークとして記録した。この際、光ディスク７０に照射される記録光の強度は、記録層７２にユーザー情報を記録するのに十分なレベルの強度とした。
【００４３】
次に、この例で作製した光ディスク７０のユーザー情報の再生方法について説明する。まず、上記記録方法でユーザー情報及び鍵情報が記録された光ディスク７０を図２に示した記録再生装置２０に装着して、光ディスク７０の全面にわたり光（再生光）を照射して、光ディスク７０からの反射光を検知して情報を再生した。この際、光ディスク７０に照射する再生光の強度は、記録層７２に記録されているユーザー情報を破壊しない程度の強度とした。再生された情報は記録再生装置２０内のメモリ装置２２６に保存した。ただし、この際に得られる情報は、記録層に記録されたユーザー情報と基板上にピットとして形成された鍵情報が混在した情報（以下では情報Ａ２という）となる。
【００４４】
次いで、光ディスク７０の全面にわたり光（消去光）を照射して、記録層７２に記録されている全てのユーザー情報を消去した。この際、光ディスク７０に照射する消去光の強度は、記録層７２に記録されたユーザー情報を消去するのに十分なレベルの強度とした。この例では、記録層７２に有機色素材料を用いているので、光を照射することにより記録層７２は全て記録状態になり、これにより記録層７２からの反射光量が一定になって、記録層７２の情報が消去された状態になる。記録層７２のユーザー情報を消去した後、再度、光ディスク７０の全面にわたって再生光を照射して、光ディスク７０からの反射光を検知して情報を再生した。再生した情報は記録再生装置２０内のメモリ装置２２６に保存した。ただし、この際に得られる情報は、すでに記録層７２に記録された全てのユーザー情報が消去されているので、基板７１上にピットとして形成された鍵情報に相当した情報（以下では情報Ｂ２という）となる。
【００４５】
次に、図２に示した記録再生装置２０内の演算装置２２７で、メモリ装置２２６に保存されたユーザー情報及び鍵情報が混在した情報に相当する情報Ａ２と鍵情報に相当する情報Ｂ２との差分を求めて、記録層７２に記録されたユーザー情報に相当する情報を再生した。
【００４６】
この例で作製した光ディスク７０では、上述のように、記録層に記録されたユーザー情報を再生する過程の途中で全てのユーザー情報を消去するので、一度ユーザー情報を再生すると、再度、ユーザー情報の再生及びインストールは不可能となる。それゆえ、この例で作製した光ディスク７０は、例えば個人情報や小規模な出版情報などをユーザーが個人で記録して、これを一度再生するのみで記録情報を滅却したい場合に用いるような光記録媒体としては好適な媒体である。なお、この例ではユーザー情報を光ディスク７０の全面にわたって記録層に記録した例を説明したが、基板上にピットとして形成された鍵情報の領域上の一部の記録層領域に、ユーザー情報が記録されていても良い。
【００４７】
【実施例３】
図８に、実施例３で作製した光ディスクを示した。図８（ａ）に示すように、この例で作製した光ディスク８０は、基板８１上の全面にわたり記録層８２が積層されている。ただし、この例で作製した光ディスク８０は実施例１と同様の製造方法で作製した。記録層８２には実施例１と同様に有機色素材料を用いた。なお、図８ではここでの説明を簡略化するために保護層及び反射層は省略した。
【００４８】
この例で作製した光ディスク８０では、ユーザー情報は記録層８２に記録マークとして記録され、ユーザー情報の再生に必要な鍵情報は基板８１上にピット８３として光ディスク８０の外周付近の領域（領域８２ｂの記録層の下部）に形成され、その領域８２ｂは光ディスク８０の中心に対して同心円の帯形状となるように形成されている。すなわち、この例で作製した光ディスク８０では、図８（ａ）に示すように、基板８１上に形成されているピット情報と記録層８２に記録されている情報がオーバーラップする領域は領域８２ｂ（以下ではオーバーラップ領域という）のみであり、領域８２ａ及び８２ｃは記録層８２に記録されている情報のみが存在する領域である。ただし、この例では、図８（ｂ）に示すように、光入射側（基板８１側）から見て凸形状になる部分（図８（ｂ）中の８３）をピットとした。
【００４９】
この例で作製した光ディスク８０のユーザー情報及び鍵情報の記録方法について説明する。ユーザー情報の再生に必要な鍵情報は基板８１の製造過程で作製した。その方法は、実施例１と同様に、鍵情報に対応した凹凸パターンを有するスタンパ（不図示）を用いて射出成型することにより、オーバーラップ領域８２ｂ下部の基板８１上の領域に鍵情報をピット８３として形成した。ユーザー情報は、この例で作製した光ディスク８０を図２に示した記録再生装置２０に装着して、光ディスク８０の全面にわたってユーザー情報に従って変調されたレーザー光（記録光）を断続的に照射することにより記録層８２に記録マークとして記録した。
【００５０】
次に、この例で作製した光ディスク８０のユーザー情報の再生方法について説明する。まず、ユーザー情報及び鍵情報が記録されている光ディスク８０を図２に示した記録再生装置２０に装着して、光ディスク８０のユーザー情報と鍵情報がオーバーラップしている領域８２ｂに光（再生光）を照射し、オーバーラップ領域８２ｂからの反射光を検知して情報を再生した。再生された情報は記録再生装置２０内のメモリ装置２２６に保存した。この際に得られる情報は、オーバーラップ領域８２ｂの記録層に記録されたユーザー情報と基板８１上にピット８３として形成された鍵情報が混在した情報（以下では情報Ａ３という）となる。
【００５１】
次いで、鍵情報とユーザー情報のオーバーラップ領域８２ｂに光（消去光）を照射してオーバーラップ領域８２ｂの記録層に記録されたユーザー情報を消去した。この例では、実施例１と同様に、記録層に有機色素材料を用いているので、オーバーラップ領域８２ｂに消去光を照射することによりオーバーラップ領域８２ｂの記録層は全て記録状態になり、これによりオーバーラップ領域８２ｂの記録層からの反射光量が一定になって、オーバーラップ領域８２ｂの記録層の情報が消去された状態になる。オーバーラップ領域８２ｂの記録層に記録されたユーザー情報を消去した後、再度、光ディスク８０のオーバーラップ領域８２ｂに再生光を照射して、オーバーラップ領域８２ｂからの反射光を検知して情報を再生した。再生された情報は記録再生装置２０内のメモリ装置２２６に保存した。ただし、この際にオーバーラップ領域８２ｂから得られる情報は、すでにオーバーラップ領域８２ｂのユーザー情報を消去しているので、オーバーラップ領域８２ｂの基板８１上にピット８３として形成された鍵情報に相当した情報（以下では情報Ｂ３という）となる。
【００５２】
次に、図２に示した記録再生装置２０内のメモリ装置２２６に保存されたオーバーラップ領域８２ｂのユーザー情報と鍵情報が混在した情報に相当する情報Ａ３とオーバーラップ領域８２ｂの鍵情報に相当する情報Ｂ３との差分を求めて、オーバーラップ領域８２ｂの記録層に記録されたユーザー情報に相当する情報を再生した。次いで、ユーザー情報のみが存在する領域８２ａ及び８２ｃに再生光を照射して、各領域からユーザー情報を再生し、光ディスク８０の記録層に記録された全てのユーザー情報を再生した。
【００５３】
この例で作製した光ディスク８０では、上述のように、ユーザー情報を再生する過程の途中で、オーバーラップ領域８２ｂの記録層に記録されたユーザー情報を消去するので、一度光ディスク８０のユーザー情報を再生すると、二度とオーバーラップ領域８２ｂのユーザー情報の再生及びインストールが不可能になる。それゆえ、この例で作製した光ディスク８０では、全てのユーザー情報の再生及びインストールは１回のみとなる。また、この例で作製した光ディスク８０では記録層８２に記録されたユーザー情報と基板８１上にピットとして形成された鍵情報のオーバーラップする領域８２ｂを実施例２で作製した光ディスク７０に比べて小さくすることができるので、ユーザー情報の再生過程で必要になる記録再生装置内のメモリ量を少なくすることができる。さらに、オーバーラップ領域８２ｂを小さくすることにより、オーバーラップ領域８２ｂから得られる再生情報の再生及び演算時間が短くなるので、ユーザー情報の再生時間の短縮も可能になる。
【００５４】
【実施例４】
図９に、実施例４で作製した光ディスクを示した。図９（ａ）に示すように、この例で作製した光ディスク９０は、基板９１上の全面にわたり記録層９２が積層されている。ただし、この例で作製した光ディスク９０は実施例１と同様の製造方法で作製した。記録層９２には実施例１と同様に有機色素材料を用いた。なお、図９ではここでの説明を簡略化するために保護層及び反射層は省略した。
【００５５】
この例で作製した光ディスク９０では、ユーザー情報の再生に必要な鍵情報は基板９１上にピット９３として光ディスク９０の外周付近の領域（領域９２ｂの記録層の下部）に形成され、その領域９２ｂは光ディスク９０の中心に対して同心円の帯形状となるように形成されている。ただし、この例では、図９（ｂ）に示すように、光入射側（基板９１側）から見て凸形状になる部分（図９（ｂ）中の９３）をピットとした。記録層９２には、基板９１上にピット９３として形成されている鍵情報によりユーザー情報を演算加工した情報（以下では情報Ｃという）が記録マークとして記録されている。ここで、鍵情報によりユーザー情報を演算加工する手法としては、暗号化や配列変更などの手法を用いた。なお、鍵情報とは、ユーザー情報が暗号化される場合にはそれを解読するための規則や変換コードであり、また、ユーザー情報が配列変更される場合にはその規則や配列番号などの鍵情報である。すなわち、図９（ａ）に示すように、基板９１上に形成されているピット情報と記録層９２に記録されている情報とがオーバーラップする領域は領域９２ｂ（以下ではオーバーラップ領域という）のみであり、領域９２ａ及び９２ｃには記録層に記録された情報のみが存在する領域である。
【００５６】
この例で作製した光ディスク９０のユーザー情報及び鍵情報の記録方法を説明する。ユーザー情報の再生に必要な鍵情報は基板９１の製造過程で作製した。その方法は、実施例１と同様に、鍵情報に対応した凹凸パターンを有するスタンパ（不図示）を用いて射出成型することにより、オーバーラップ領域９２ｂ下部の基板９１上の領域に鍵情報をピット９３として形成した。
【００５７】
ユーザー情報の記録方法は次の通りである。この例で作製した光ディスク９０を図２に示した記録再生装置２０に装着して、オーバーラップ領域９２ｂに再生光を照射し、オーバーラップ領域９２ｂからの反射光を検知して情報を再生した。この際、オーバーラップ領域９２ｂの記録層には情報が記録されていないので、再生された情報はオーバーラップ領域９２ｂ下部の基板９１にピット９３として形成された鍵情報に相当する情報となる。再生された鍵情報は記録再生装置２０内のメモリ装置２２６に保存した。次いで、記録再生装置２０内で、メモリ装置２２６に保存された鍵情報を用いて、暗号化や配列変更などの手法でユーザー情報を演算加工して情報Ｃを作製した。ユーザー情報を鍵情報で演算加工して情報Ｃを作製した後、情報Ｃに従って変調されたレーザー光（記録光）を光ディスク９０の全面にわたって断続的に照射することにより情報Ｃを記録層９２に記録マークとして記録した。
【００５８】
次に、この例で作製した光ディスク９０のユーザー情報の再生方法について説明する。まず、上記記録方法でユーザー情報及び鍵情報が記録された光ディスク９０を図２に示した記録再生装置２０に装着して、光ディスク９０の記録層９２に記録されている情報Ｃと基板９１上にピット９３として形成されている鍵情報がオーバーラップしている領域９２ｂに光（再生光）を照射し、オーバーラップ領域９２ｂからの反射光を検知して情報を再生した。再生された情報は記録再生装置２０内のメモリ装置２２６に保存した。この際に得られる情報は、オーバーラップ領域９２ｂの情報Ｃと鍵情報が混在した情報（以下では情報Ａ４という）となる。
【００５９】
次いで、オーバーラップ領域９２ｂに光（消去光）を照射してオーバーラップ領域９２ｂの記録層に記録されている情報Ｃを消去した。この例では、実施例１と同様に、記録層に有機色素材料を用いているので、オーバーラップ領域９２ｂに消去光を照射することによりオーバーラップ領域９２ｂの記録層は全て記録状態になり、これによりオーバーラップ領域９２ｂの記録層からの反射光量が一定になって、オーバーラップ領域９２ｂの記録層に記録されている情報Ｃが消去された状態になる。オーバーラップ領域９２ｂの記録層に記録されている情報Ｃを消去した後、再度、オーバーラップ領域９２ｂに再生光を照射して、オーバーラップ領域９２ｂからの反射光を検知して情報を再生した。再生された情報は記録再生装置２０内のメモリ装置２２６に保存した。ただし、この際にオーバーラップ領域９２ｂから得られる情報は、すでにオーバーラップ領域９２ｂの記録層の情報Ｃが消去されているので、オーバーラップ領域９２ｂ下部の基板９１上にピット９３として形成された鍵情報に相当した情報（以下では情報Ｂ４という）となる。
【００６０】
次に、記録再生装置２０内のメモリ装置２２６に保存されたオーバーラップ領域９２ｂの情報Ｃ及び鍵情報が混在した情報に相当する情報Ａ４と鍵情報に相当する情報Ｂ４との差分を求めて、オーバーラップ領域９２ｂの記録層に記録された情報Ｃに相当する情報を再生した。オーバーラップ領域９２ｂの記録層の情報Ｃを再生した後、領域９２ａ及び９２ｃに再生光を照射して各領域の記録層に記録された情報Ｃを再生し、全ての情報Ｃを再生した。最後に、再生された全ての情報Ｃを、メモリ装置２２６に保存された鍵情報により逆演算加工してユーザー情報を再生した。ただし、鍵情報による情報Ｃの逆演算加工は、該各領域の記録層に記録された情報Ｃを再生しながら随時行っても良い。
【００６１】
この例で作製した光ディスク９０では、上述のように、ユーザー情報を再生する過程の途中で、オーバーラップ領域９２ｂの記録層に記録された情報Ｃを消去するので、一度ユーザー情報を再生すると、二度とオーバーラップ領域９２ｂの情報Ｃの再生が不可能となり、オーバーラップ領域９２ｂのユーザー情報の再度の再生及びインストールが不可能となる。それゆえ、この例で作製した光ディスク９０では、全てのユーザー情報の再生及びインストールは１回のみとなる。また、この例で作製した光ディスク９０では、記録層９２に記録されたユーザー情報と基板９１上にピットとして形成された鍵情報とがオーバーラップする領域９２ｂを、実施例３と同様に、小さくすることができるのでユーザー情報の再生過程で必要になる記録再生装置内のメモリ量を少なくすることができる。さらに、オーバーラップ領域９２ｂを小さくすることにより、オーバーラップ領域９２ｂから得られる再生情報の再生及び演算時間が短くなるので、ユーザー情報の再生時間の短縮も可能になる。
【００６２】
【実施例５】
図１０に、実施例５で作製した光ディスクを示した。図１０（ａ）に示すように、この例で作製した光ディスク１００は、基板１０１上の全面にわたり記録層１０２が積層されている。ただし、この例で作製した光ディスク１００は実施例１と同様の製造方法で作製した。記録層１０２には実施例１と同様に有機色素材料を用いた。なお、図１０ではここでの説明を簡略化するために保護層及び反射層は省略した。
【００６３】
この例で作製した光ディスク１００では、ユーザー情報の再生に必要な鍵情報（以下では第１鍵情報という）は、基板１０１上にピット１０３として光ディスク１００の外周付近の領域（領域１０２ｂの記録層の下部）に形成され、その領域１０２ｂは光ディスク１００の中心に対して同心円の帯形状となるように形成されている。ただし、この例では、図１０（ｂ）に示すように、光入射側（基板１０１側）から見て凸形状になる部分（図１０（ｂ）中の１０３）をピットとした。記録層１０２は、図１０（ａ）に示すように、３つの領域（領域１０２ａ、１０２ｂ及び１０２ｃ）に分けられる。領域１０２ｂは、基板１０１上にピット１０３として形成された第１鍵情報と記録層１０２が重なる領域（以下では、オーバーラップ領域という）であり、オーバーラップ領域１０２ｂの記録層にはユーザー情報を演算加工するためにユーザー側あるいはドライブシステム側で作製された鍵情報（以下では第２鍵情報という）が記録マークとして記録されている。領域１０２ａ及び１０２ｃの記録層には、ユーザー情報を第２鍵情報で演算加工した情報（以下では情報Ｄという）が記録マークとして記録されている。すなわち、この例で作製した光ディスク１００では、基板１０１上に形成されたピット情報と記録層１０２に記録された情報とが重なる領域はオーバーラップ領域１０２ｂのみであり、それ以外の領域１０２ａ及び１０２ｃには記録層の情報のみが形成されている。ここで、第２鍵情報は、ユーザー情報が暗号化される場合にはそれを解読するための規則や変換コードであり、また、ユーザー情報が配列変更される場合にはその規則や配列番号などの鍵情報である。この第２鍵情報はユーザー側あるいはドライブシステム側で任意に作製することができる。また、情報Ｄは第２鍵情報を用いて暗号化や配列変更などの手法によりユーザー情報を演算加工して作製される。
【００６４】
この例で作製した光ディスク１００のユーザー情報及び鍵情報の記録方法について説明する。この例で作製した光ディスク１００では、第２鍵情報を取得するためには第１鍵情報が必要であり、その第１鍵情報は基板１０１の製造過程で作製した。その方法は、実施例１と同様に、鍵情報に対応した凹凸パターンを有するスタンパ（不図示）を用いて射出成型することにより、オーバーラップ領域１０２ｂ下部の基板１０１上の領域に第１鍵情報をピット１０３として形成した。
【００６５】
ユーザー情報及び第２鍵情報の記録方法は次の通りである。この例で作製した光ディスク１００を図２に示した記録再生装置２０に装着して、オーバーラップ領域１０２ｂに、ユーザー側あるいはドライブシステム側で作製した第２鍵情報に従って変調されたレーザー光（記録光）を断続的に照射してオーバーラップ領域１０２ｂの記録層に第２鍵情報を記録した。次いで、領域１０２ａ及び１０２ｃの記録層には、ユーザー情報を第２鍵情報で演算加工した情報Ｄに従って変調されたレーザー光（記録光）を断続的に照射して情報Ｄを記録した。
【００６６】
次に、この例で作製した光ディスク１００のユーザー情報の再生方法について説明する。まず、上記記録方法でユーザー情報及び鍵情報が記録されている光ディスク１００を図２に示す記録再生装置２０に装着して、光ディスク１００のオーバーラップ領域１０２ｂに光（再生光）を照射して、オーバーラップ領域１０２ｂからの反射光を検知して情報を再生した。再生された情報を記録再生装置２０内のメモリ装置２２６に保存した。この際に得られる情報は、基板１０１上にピット１０３として形成されている第１鍵情報とオーバーラップ領域１０２ｂの記録層に記録されている第２鍵情報が混在した情報（以下では情報Ａ５という）となる。
【００６７】
次に、光ディスク１００のオーバーラップ領域１０２ｂに光（消去光）を照射してオーバーラップ領域１０２ｂの記録層に記録されている第２鍵情報を消去した。この例では、実施例１と同様に、記録層に有機色素材料を用いているので、オーバーラップ領域１０２ｂに消去光を照射することによりオーバーラップ領域１０２ｂの記録層は全て記録状態になり、これによりオーバーラップ領域１０２ｂの記録層からの反射光量が一定になって、オーバーラップ領域１０２ｂの記録層に記録された第２鍵情報が消去された状態になる。オーバーラップ領域１０２ｂの記録層に記録されている第２鍵情報を消去した後、再度、光ディスク１００のオーバーラップ領域１０２ｂに再生光を照射して、オーバーラップ領域１０２ｂからの反射光を検知して情報を再生した。再生された情報を記録再生装置２０内のメモリ装置２２６に保存した。ただし、この際にオーバーラップ領域１０２ｂから得られる情報は、すでにオーバーラップ領域１０２ｂの記録層に記録されていた第２鍵情報は消去されているので、オーバーラップ領域１０２ｂ下部の基板１０１上にピット１０３として形成された第１鍵情報に相当した情報（以下では情報Ｂ５という）となる。
【００６８】
次に、記録再生装置２０内のメモリ装置２２６に保存されたオーバーラップ領域１０２ｂの第１鍵情報及び第２鍵情報が混在した情報に相当する情報Ａ５と第１鍵情報に相当する情報Ｂ５との差分を求めて、オーバーラップ領域１０２ｂの記録層に記録された第２鍵情報に相当する情報を再生した。再生された第２鍵情報は記録再生装置２０内のメモリ装置２２６に保存した。次いで、光ディスク１００の領域１０２ａ及び１０２ｃに再生光を照射して、ユーザー情報を第２鍵情報で演算加工した情報Ｄを再生した。最後に、再生された情報Ｄを、メモリ装置２２６に保存された第２鍵情報で逆演算加工してユーザー情報を再生した。なお、第２鍵情報による情報Ｄの逆演算加工は、光ディスク１００の領域１０２ａ及び１０２ｃに記録された情報Ｄの再生と並行して行っても良い。
【００６９】
この例で作製した光ディスク１００では、上述のように、ユーザー情報を再生する過程の途中で、オーバーラップ領域１０２ｂの第２鍵情報を消去するので、一度光ディスク１００のユーザー情報を再生すると、二度とオーバーラップ領域１０２ｂの記録層に記録されている第２鍵情報の再生が不可能になる。それゆえ、再度、光ディスク１００からユーザー情報を再生しようとする場合、光ディスク１００の領域１０２ａ及び１０２ｃの記録層から情報Ｄを再生することは可能であるが、第２鍵情報が得られないので、情報Ｄから第２鍵情報を用いて逆演算加工してユーザー情報を再生することは不可能となる。すなわち、この例で作製した光ディスク１００では、ユーザー情報の再生及びインストールは１回のみとなる。また、この例で作製した光ディスク１００では、記録層１０２に記録されているユーザー情報と基板１０１上にピットとして形成されている鍵情報がオーバーラップする領域１０２ｂを、実施例３と同様に、小さくすることができるのでユーザー情報の再生過程で必要になる記録再生装置２０内のメモリ量を少なくすることができる。さらに、オーバーラップ領域１０２ｂを小さくすることにより、オーバーラップ領域１０２ｂから得られる再生情報の再生及び演算時間が短くなるので、ユーザー情報の再生時間の短縮も可能になる。
【００７０】
【実施例６】
図１１に、実施例６で作製した光ディスクを示した。図１１（ａ）に示すように、この例で作製した光ディスク１１０は、基板１１１上の全面にわたり記録層１１２が積層されている。ただし、この例で作製した光ディスク１１０は実施例１と同様の製造方法で作製した。記録層１１２には実施例１と同様に有機色素材料を用いた。なお、図１１ではここでの説明を簡略化するために保護層及び反射層は省略した。
【００７１】
この例で作製した光ディスク１１０では、ユーザー情報の再生に必要な鍵情報（以下では第１鍵情報という）は、基板１１１上にピット１１３として光ディスク１１０の外周付近の領域（領域１１２ｂの記録層の下部）に形成され、その領域１１２ｂは光ディスク１１０の中心に対して同心円の帯形状となるように形成されている。ただし、この例では、図１１（ｂ）に示すように、光入射側（基板１１１側）から見て凸形状になる部分（図１１（ｂ）中の１１３）をピットとした。記録層１１２は、図１１（ａ）に示すように、３つの領域（領域１１２ａ、１１２ｂ及び１１２ｃ）に分けられる。領域１１２ｂは、基板１１１上にピット１１３として形成された第１鍵情報と記録層１１２とが重なる領域（以下では、オーバーラップ領域という）であり、オーバーラップ領域１１２ｂの記録層にはユーザー側あるいはドライブシステム側で作製された鍵情報（以下では第２鍵情報という）が記録マークとして記録されている。領域１１２ａ及び１１２ｃの記録層には、ユーザー情報を第１及び第２鍵情報で演算加工した情報（以下では情報Ｅという）が記録マークとして記録されている。すなわち、この例で作製した光ディスク１１０では、基板１１１上に形成されたピット情報と記録層１１２に記録された情報とが重なる領域はオーバーラップ領域１１２ｂのみであり、それ以外の領域１１２ａ及び１１２ｃには記録層の情報のみが形成されている。ただし、この例で作製された光ディスク１１０では、領域１１２ａ及び１１２ｃの記録層に記録される情報Ｅは第１及び第２鍵情報の両方を用いて暗号化や配列変更などの手法によりユーザー情報を演算加工して作製される。ここで、鍵情報とは、ユーザー情報が暗号化される場合にはそれを解読するための規則や変換コードであり、また、ユーザー情報が配列変更される場合にはその規則や配列番号などの鍵情報である。この例では、これらの鍵情報を基板１１１上にピット１１３として形成された第１鍵情報とユーザー側あるいはドライブシステム側で作製された第２鍵情報とに分けて使用した。
【００７２】
この例で作製した光ディスク１１０のユーザー情報並びに第１及び第２鍵情報の記録方法について説明する。ユーザー情報の再生に必要な第１鍵情報は基板１１１の製造過程で作製した。その方法は、実施例１と同様に、鍵情報に対応した凹凸パターンを有するスタンパ（不図示）を用いて射出成型することにより、オーバーラップ領域１１２ｂ下部の基板１１１上の領域に第１鍵情報をピット１１３として形成した。
【００７３】
ユーザー情報の記録方法は次の通りである。この例で作製した光ディスク１１０を図２に示した記録再生装置２０に装着して、オーバーラップ領域１１２ｂに再生光を照射して情報を再生した。この際、オーバーラップ領域１１２ｂの記録層には情報が記録されていないので、再生された情報はオーバーラップ領域１１２ｂ下部の基板１１１上にピット１１３として形成された第１鍵情報に相当する情報となる。再生された第１鍵情報は記録再生装置２０内のメモリ装置２２６に保存した。次いで、ユーザー側あるいはドライブシステム側で第２鍵情報を作製した。ただし、第２鍵情報の作製は第１鍵情報を再生する前に行なっても良い。また、第２鍵情報は記録再生装置２０内で作製しても良いし、記録再生装置外で予め作製しても良い。次に、第１及び第２鍵情報を用いてユーザー情報を演算加工して情報Ｅを作製した。次いで、オーバーラップ領域１１２ｂに第２鍵情報に従って変調されたレーザー光（記録光）を断続的に照射して、オーバーラップ領域１１２ｂの記録層に第２鍵情報を記録マークとして形成した。領域１１２ａ及び１１２ｃの記録層には、情報Ｅに従って変調されたレーザー光（記録光）を断続的に照射して情報Ｅを記録マークとして記録した。
【００７４】
次に、この例で作製した光ディスク１１０のユーザー情報の再生方法について説明する。まず、上記記録方法でユーザー情報及び鍵情報が記録されている光ディスク１１０を図２に示す記録再生装置２０に装着して、光ディスク１１０のオーバーラップ領域１１２ｂに光（再生光）を照射して、オーバーラップ領域１１２ｂからの反射光を検知して情報を再生した。再生された情報は記録再生装置２０内のメモリ装置２２６に保存した。この際に得られる情報は、基板１１１上にピット１１３として形成されている第１鍵情報とオーバーラップ領域１１２ｂの記録層に記録マークとして記録されている第２鍵情報が混在した情報（以下では情報Ａ６という）となる。
【００７５】
次に、光ディスク１１０のオーバーラップする領域１１２ｂに光（消去光）を照射してオーバーラップ領域１１２ｂの記録層に記録されている第２鍵情報を消去した。この例では、実施例１と同様に、記録層に有機色素材料を用いているので、オーバーラップ領域１１２ｂに消去光を照射することによりオーバーラップ領域１１２ｂの記録層は全て記録状態になり、これによりオーバーラップ領域１１２ｂの記録層からの反射光量が一定になって、オーバーラップ領域１１２ｂの記録層に記録された第２鍵情報が消去された状態になる。オーバーラップ領域１１２ｂの記録層に記録されている第２鍵情報を消去した後、再度、光ディスク１１０のオーバーラップ領域１１２ｂに再生光を照射して、オーバーラップ領域１１２ｂからの反射光を検知して情報を再生した。再生された情報は記録再生装置２０内のメモリ装置２２６に保存した。ただし、この際にオーバーラップ領域１１２ｂから得られる情報は、すでにオーバーラップ領域１１２ｂの記録層に記録されていた第２鍵情報は消去されているので、オーバーラップ領域１１２ｂの下部の基板１１１上にピット１１３として形成された第１鍵情報に相当した情報（以下では情報Ｂ６という）となる。
【００７６】
次に、記録再生装置２０内のメモリ装置２２６に保存されたオーバーラップ領域１１２ｂの第１及び第２鍵情報が混在した情報に相当する情報Ａ６と第１鍵情報に相当する情報Ｂ６との差分を求めて、オーバーラップ領域１１２ｂの記録層に記録された第２鍵情報に相当する情報を再生した。再生された第２鍵情報は記録再生装置２０内のメモリ装置２２６に保存した。次いで、光ディスク１１０の領域１１２ａ及び１１２ｃに再生光を照射して、各領域からの反射光を検知して情報Ｅを再生した。最後に、再生された情報Ｅを、記録再生装置２０内のメモリ装置２２６に保存された第１及び第２鍵情報で逆演算加工してユーザー情報を再生した。なお、第１及び第２鍵情報による情報Ｅの逆演算加工は、光ディスク１１０の領域１１２ａ及び１１２ｃに記録された情報Ｅの再生と並行して行っても良い。
【００７７】
この例で作製した光ディスク１１０では、上述のように、ユーザー情報を再生する過程の途中で、オーバーラップ領域１１２ｂの記録層に記録されている第２鍵情報を消去するので、一度光ディスク１１０のユーザー情報を再生すると、二度とオーバーラップ領域１１２ｂの記録層に記録されている第２鍵情報の再生が不可能になる。それゆえ、再度、光ディスク１１０からユーザー情報を再生しようとする場合、領域１１２ａ及び１１２ｃの記録層から情報Ｅと基板１１１上にピットとして形成された第１鍵情報の再生は可能であるが、第２鍵情報が得られないので、情報Ｅから第１及び第２鍵情報を用いて逆演算加工してユーザー情報を再生することができなくなる。すなわち、この例で作製した光ディスク１１０では、ユーザー情報の再生及びインストールは１回のみとなる。また、この例で作製した光ディスク１１０では、記録層１１２に記録されたユーザー情報と基板１１１上にピットとして形成された鍵情報がオーバーラップする領域１１２ｂを、実施例３と同様に、小さくすることができるのでユーザー情報の再生過程で必要になる記録再生装置２０内のメモリ量を少なくすることができる。さらに、オーバーラップ領域１１２ｂを小さくすることにより、オーバーラップ領域１１２ｂから得られる再生情報の再生及び演算時間が短くなるので、ユーザー情報の再生時間の短縮も可能になる。
【００７８】
【実施例７】
図１２に、実施例７で作製した光ディスクを示した。この例で作製した光ディスク１２０では、図１２（ａ）に示すように、記録層は基板１２１上の外周付近の一部の領域（領域１２２）に形成され、その領域１２２は光ディスク１１０の中心に対して同心円の帯形状になるように形成されている。ただし、この例で作製した光ディスク１２０は実施例１と同様の製造方法で作製した。ただし、領域１２２の記録層には実施例１と同様に有機色素材料を用いた。なお、図１２（ｂ）は領域１２２におけるトラックの周方向の概略断面図であり、図１２ではここでの説明を簡略化するために保護層及び反射層は省略した。
【００７９】
この例で作製した光ディスク１２０では、ユーザー情報の再生に必要な鍵情報は領域１２２の記録層に記録マークとして形成されている。ユーザー情報は鍵情報により演算加工され（以下ではこの演算加工された情報を情報Ｆという）、その情報Ｆは基板１２１の全面にわたってピット１２３として形成されている。ただし、この例では、図１２（ｂ）に示すように、光入射側（基板１２１側）から見て凸形状になる部分（図１２（ｂ）中の１２３）をピットとした。すなわち、この例で作製した光ディスク１２０では、図１２（ａ）に示すように、基板１２１上に形成されたピット情報と記録層に記録された情報とが重なる領域は領域１２２（以下では、オーバーラップ領域という）のみであり、それ以外の領域１２４及び１２５は基板１２１上に形成されたピット情報のみの領域となる。ここで、情報Ｆは、鍵情報を用いて暗号化や配列変更などの手法によりユーザー情報を演算加工して作製される。
【００８０】
この例で作製した光ディスク１２０のユーザー情報及び鍵情報の記録方法について説明する。まず、ユーザー情報を鍵情報で演算加工した情報Ｆを作製した。情報Ｆは、実施例１と同様に、情報Ｆに対応した凹凸パターンを有するスタンパ（不図示）を用いて射出成型することにより、基板１２１上の全面にわたりピット１２３として形成した。一方、鍵情報の記録方法は次の通りである。この例で作製した光ディスク１２０を図２に示した記録再生装置２０に装着して、オーバーラップ領域１２２に鍵情報に従って変調されたレーザー光（記録光）を断続的に照射して、オーバーラップ領域１２２の記録層に鍵情報を記録マークとして記録した。
【００８１】
次に、この例で作製した光ディスク１２０のユーザー情報の再生方法について説明する。まず、上記記録方法でユーザー情報及び鍵情報が記録されている光ディスク１２０を図２に示す記録再生装置２０に装着して、光ディスク１２０のオーバーラップ領域１２２に光（再生光）を照射して、オーバーラップ領域１２２からの反射光を検知して情報を再生した。再生された情報は記録再生装置２０内のメモリ装置２２６に保存した。この際に得られる再生情報は、オーバーラップ領域１２２の下部にピット１２３として形成された情報Ｆの一部とオーバーラップ領域１２２の記録層に記録された鍵情報が混在した情報（以下では情報Ａ７という）となる。
【００８２】
次いで、光ディスク１２０のオーバーラップ領域１２２に光（消去光）を照射してオーバーラップ領域１２２の記録層に記録された鍵情報を消去した。この例では、実施例１と同様に、記録層に有機色素材料を用いているので、オーバーラップ領域１２２に消去光を照射することによりオーバーラップ領域１２２の記録層は全て記録状態になり、これによりオーバーラップ領域１２２の記録層からの反射光量が一定になって、オーバーラップ領域１２２の記録層に記録された鍵情報が消去された状態になる。オーバーラップ領域１２２の記録層に記録されている鍵情報を消去した後、再度、光ディスク１２０のオーバーラップ領域１２２に再生光を照射して、オーバーラップ領域１２２からの反射光を検知して情報を再生した。再生された情報は記録再生装置２０内のメモリ装置２２６に保存した。ただし、この際にオーバーラップ領域１２２から得られる情報は、すでにオーバーラップ領域１２２の記録層に記録されていた鍵情報は消去されているので、オーバーラップ領域１２２の下部の基板１２１上にピット１２３として形成された情報Ｆの一部に相当した情報（以下では情報Ｂ７という）となる。
【００８３】
次に、記録再生装置２０内のメモリ装置２２６に保存されたオーバーラップ領域１２２の情報Ｆ及び鍵情報が混在した情報に相当する情報Ａ７とオーバーラップ領域１２２の情報Ｆに相当する情報Ｂ７との差分を求めて、オーバーラップ領域１２２の記録層に記録された鍵情報に相当する情報を再生した。次いで、光ディスク１２０の領域１２４及び１２５に再生光を照射して、各領域の情報Ｆを再生することにより、全ての情報Ｆを再生した。最後に、再生された全ての情報Ｆを、記録再生装置２０内のメモリ装置２２６に保存された鍵情報で逆演算加工してユーザー情報を再生した。なお、鍵情報による情報Ｆの逆演算加工は、光ディスク１２０の領域１２４及び１２５記録された情報Ｆの再生と並行して行っても良い。
【００８４】
この例で作製した光ディスク１２０では、上述のように、ユーザー情報を再生する過程の途中で、オーバーラップ領域１２２の鍵情報を消去するので、一度光ディスク１２０のユーザー情報を再生すると、二度とオーバーラップ領域１２２の鍵情報の再生が不可能になる。それゆえ、再度、光ディスク１２０からユーザー情報を再生しようとする場合、基板１２１上にピットとして形成された情報Ｆは再生可能であるが、鍵情報が得られないので、情報Ｆから鍵情報を用いて逆演算加工してユーザー情報を再生することができなくなる。すなわち、この例で作製した光ディスク１２０では、ユーザー情報の再生及びインストールは１回のみとなる。このような光ディスク１２０はソフトウェアを配布あるいは販売する際の媒体として好適である。また、この例で作製した光ディスク１２０では、基板１２１上にピットとして形成されているユーザー情報と記録層に記録されている鍵情報がオーバーラップする領域１２２を、実施例３と同様に、小さくすることができるのでユーザー情報の再生過程で必要になる記録再生装置２０内のメモリ量を少なくすることができる。さらにオーバーラップ領域１２２を小さくすることにより、オーバーラップ領域１２２から得られる再生情報の再生及び演算時間が短くなるので、ユーザー情報の再生時間の短縮も可能になる。
【００８５】
上記実施例１〜７では、記録層に有機色素材料を用いた例を説明したが、本発明はこれに限定されない。記録層の形成材料としては、光照射により反射率が変化する材料であれば良く、例えば、相変化材料のような書き換え可能な材料を用いても良い。
【００８６】
上記実施例１〜７では、本発明の記録再生装置を用いて光ディスクの記録層に情報を記録した後に情報再生を行ったが、本発明はこれに限定されない。従来の記録再生装置などで予め記録層に情報が記録された光ディスクを用意して、その光ディスクを本発明の記録再生装置で再生しても良い。
【００８７】
上記実施例１では、光入射側（基板側）から見て凹形状になる部分をピットとして説明したが、本発明はこれに限定されず、光入射側（基板側）から見て凸形状になる部分をピットとしても良い。また、上記実施例２〜７では、光入射側（基板側）から見て凸形状になる部分をピットとして説明したが、本発明はこれに限定されず、光入射側（基板側）から見て凹形状になる部分をピットとしても良い。
【００８８】
上記実施例１では、ピットパターンの原盤露光信号の周期より短い周期を有する光照射信号を用いて記録層に情報を記録したが、本発明はこれに限定されない。ピットパターンの原盤露光信号の周期より長い周期を有する光照射信号を用いて記録層に情報を記録しても良いし、ピットパターンの原盤露光信号の周期と同じ周期を有する光照射信号を用いて記録層に情報を記録しても良い。また、上記実施例１〜７では、基板上にピットとして形成された情報及び記録層に記録された情報の周期や変調方法などは、それぞれ独立して設定しても良いし、同じ設定にしても良い。
【００８９】
上記実施例７では、光ディスクの基板上の一部に記録層を堆積させ、その記録層に鍵情報を記録する例を説明したが、本発明はこれに限定されず、記録層が基板上の全面にわたって堆積させ、その記録層の一部にユーザー情報の再生に必要な鍵情報を記録しても良い。
【００９０】
上記実施例２〜６では、主に、光ディスクの記録層に主にユーザー情報に関する情報を記録し、ユーザー情報再生に必要な鍵情報は基板上にピットパターンとして記録した例を説明したが、本発明はこれに限定されず、基板上に形成されるピットパターンに鍵情報以外にユーザー情報に関する情報を含んでも良い。また、上記実施例７では、光ディスクの記録層に鍵情報を記録し、ユーザー情報に関する情報は基板上にピットパターンとして記録した例を説明したが、本発明はこれに限定されず、記録層にも鍵情報以外にユーザー情報に関する情報を含んでいても良い。
【００９１】
上記実施例４〜７では、ユーザー情報を鍵情報で演算加工する際の手法としては、暗号化や配列変更などを用いたが、本発明はこれに限定されず、ユーザー情報を直接あるいは従来の方法で再生するだけでは採取できないような状態にユーザー情報を変化させる方法であれば良く、その効果をもたらす任意の演算加工の手法を用い得る。
【００９２】
上記実施例３〜７では、基板上に形成されるピット情報と記録層に記録される情報とのオーバーラップ領域を、光ディスクの外周付近の一部の領域に光ディスクの中心に対して同心円の帯形状となるように設けた例を説明したが、これは本発明を説明するための一例に過ぎず、本発明はこれに限定されない。例えば、オーバーラップ領域を光ディスクの内周付近の一部の領域に光ディスクの中心に対して同心円の帯形状になるように設けても良い。また、オーバーラップ領域は光ディスクの中心に対して同心円状の形状でなくても良く、任意の形状で設けても良い。
【００９３】
上記実施例１〜７では、基板上に形成される情報パターンとしてピットを用いた例を説明したが、本発明はこれに限定されない。例えば、溝の蛇行（ウォブル）や溝幅による変調、ピットの幅、長さ及び深さなどによる変調、あるいはそれらの組み合わせなど、基板上に施すことのできるあらゆる形状による変調を情報パターンとして用いることができる。
【００９４】
【発明の効果】
本発明の光記録媒体の再生方法及び記録再生装置並びに光記録媒体によれば、ピット情報及び記録層の情報を含んだ再生信号から各情報を個別に再生することができるので、従来の追記型及びＲＡＭ型光記録媒体のように情報の再生専用領域と記録可能領域を基板上で別の領域に配置する必要が無くなり、ピットで形成された再生専用領域の上に情報の記録可能領域を設けた光記録媒体であっても、各領域の情報を個別に再生することができる。それゆえ、再生専用領域のピット及び記録可能領域の記録マークを微小化することなく光記録媒体の記録容量を増大させることができる。
【００９５】
また、本発明の光記録媒体の再生方法及び記録再生装置並びに光記録媒体によれば、ピット情報のみを含んだ反射光の信号を検出するために記録層の情報を消去するので、例えば、追記型光ディスクのように、記録層の書き込みが１回のみである光記録媒体では、一度再生すると二度と再生できなくなる。それゆえ、記録層への書き込みが１回しかできない光記録媒体に対して、本発明の光記録媒体の再生方法及び記録再生装置は、無制限なコピーの防止に有効であり、また、光記録媒体に記録された情報の開封確認にも用いることができるので情報のセキュリティ性を向上させることもできる。
【図面の簡単な説明】
【図１】実施例１で作製した光ディスクの概略断面図である。
【図２】実施例１で用いた記録再生装置を示したブロック図である。
【図３】実施例１で作製した光ディスクのピットと記録マークとの配置パターンを示した概略断面図であり、図３（ａ）はピット上に記録マークが存在する場合であり、図３（ｂ）はピット上に記録マークが存在しない場合であり、図３（ｃ）はピットが存在しない領域に記録マークが存在する場合であり、図３（ｄ）はピットが存在しない領域に記録マークが存在しない場合である。
【図４】実施例１で作製した光ディスクのピットパターン形成のために用いた原盤露光信号を示した図である。
【図５】実施例１で作製した光ディスクの記録層に記録した情報の光照射信号を示した図である。
【図６】実施例１の再生方法を説明するための反射光の信号を示した図であり、図６（ａ）はピット情報及び記録層の情報を含んだ反射光の信号であり、図６（ｂ）は、記録層の情報を消去した後の反射光の信号であり、図６（ｃ）は、図６（ａ）の信号と図６（ｂ）の信号の差分を計算した後の信号である。
【図７】実施例２で作製した光ディスクの概略図であり、図７（ａ）は光ディスクの斜視図であり、図７（ｂ）はオーバーラップ領域７２ｂにおけるトラックの周方向の概略断面図である。
【図８】実施例３作製した光ディスクの概略図であり、図８（ａ）は光ディスクの斜視図であり、図８（ｂ）はオーバーラップ領域８２ｂにおけるトラックの周方向の概略断面図である。
【図９】実施例４で作製した光ディスクの概略図であり、図９（ａ）は光ディスクの斜視図であり、図９（ｂ）はオーバーラップ領域９２ｂにおけるトラックの周方向の概略断面図である。
【図１０】実施例５で作製した光ディスクの概略図であり、図１０（ａ）は光ディスクの斜視図であり、図１０（ｂ）はオーバーラップ領域１０２ｂにおけるトラックの周方向の概略断面図である。
【図１１】実施例６で作製した光ディスクの概略図であり、図１１（ａ）は光ディスクの斜視図であり、図１１（ｂ）はオーバーラップ領域１１２ｂにおけるトラックの周方向の概略断面図である。
【図１２】実施例７で作製した光ディスクの概略図であり、図１２（ａ）は光ディスクの斜視図であり、図１２（ｂ）はオーバーラップ領域１２２におけるトラックの周方向の概略断面図である。
【符号の説明】
１０  光ディスク
１１，３１  基板
１２，３２  記録層
１３，３３  反射層
１４，３４  保護層
２０  記録再生装置
３５  ピット
３６  記録マーク
２２１  光ヘッド部
２２５  再生信号処理部
２２６  メモリ装置
２２７  演算装置
【図１】
2004253051.tif 000003
【図２】
2004253051.tif 000004
【図３】
2004253051.tif 000005
【図４】
2004253051.tif 000006
【図５】
2004253051.tif 000007
【図６】
2004253051.tif 000008
【図７】
2004253051.tif 000009
【図８】
2004253051.tif 000010
【図９】
2004253051.tif 000011
【図１０】
2004253051.tif 000012
【図１１】
2004253051.tif 000013
【図１２】
2004253051.tif 000014